(57)【要約】【課題】リードと端子との接続を確保できる電子装置のパッケージモジュールを提供する。【解決手段】板面２２０に電子装置４が設置されたカバー壁２２と、板面２２０から突起する端子取付け壁２３と、端子取付け壁２３に取付けられる端子３とを備える。端子取付け壁２３は、板面２２０から突起した先端部分に形成されたベース面２３３と、ベース面２３３に凸設される複数の仕切り突起２３４と、隣合う２つの仕切り突起２３４の間に画成される端子取付け凹部２３５とを有することにより、電子装置４が設置された収容側Ｉと、外側Ｅとを仕切る。端子３は、ベース面２３３から端子取付け凹部２３５へ突起する装置接続端３３と、外側Ｅへ突起する外部接続端３２とを有する。電子装置４はリード４１を有し、リード４１は収容側Ｉから端子３の装置接続端３３の先端を経由して、外側Ｅにて装置接続端３３に接続される。【選択図】図５
0003214104.tif 000002
【実用新案登録請求の範囲】
【請求項１】
板状に形成されると共に一側の板面に電子装置が設置されたカバー壁と、
前記カバー壁の前記板面から突起する端子取付け壁と、
前記端子取付け壁に取付けられている端子と、を備えた電子装置のパッケージモジュールであって、
前記端子取付け壁は、
前記カバー壁の前記板面から突起した先端部分に形成されたベース面と、
一列に並んで前記ベース面から更に凸設される複数の仕切り突起と、
隣合う２つの前記仕切り突起によって、該隣合う２つの前記仕切り突起の間に画成される少なくとも１つの端子取付け凹部と、
を有することにより、前記電子装置が設置された収容側と、外側とを仕切り、
前記端子は、前記端子取付け壁の各前記端子取付け凹部にそれぞれ対応するように取付けられている上、
前記ベース面から対応する前記端子取付け凹部へ突起する装置接続端と、
前記装置接続端から前記端子取付け壁を経由して前記外側へ突起する外部接続端と、を有するように形成されており、
前記電子装置は、１つの前記端子に対応するリードを有しており、
該リードは前記収容側から、対応する前記端子の前記装置接続端の前記ベース面から突起する先端を経由して、前記外側において該装置接続端に電気的に接続されている、
ことを特徴とする電子装置のパッケージモジュール。
【請求項２】
前記端子は、前記端子取付け壁内に延伸して前記装置接続端と前記外部接続端を繋ぐ内延伸部を更に有する、
ことを特徴とする請求項１に記載の電子装置のパッケージモジュール。
【請求項３】
前記端子の前記装置接続端は、
前記収容側に面する内側面と、
前記内側面の反対側にあって前記外側に面する接続面と、
前記装置接続端が前記ベース面から突出する先端にあって、且つ前記内側面及び前記接続面と略直角を成すように接する先端面と、
を有しており、
前記電子装置の前記リードは、対応する前記端子の前記装置接続端の前記内側面側から、該端子の前記先端面を経由してから該端子の前記接続面に電気的に接続されている、
ことを特徴とする請求項２に記載の電子装置のパッケージモジュール。
【請求項４】
前記電子装置のパッケージモジュールは、
互いに平行する２つの前記端子取付け壁と、
互いに平行してそれぞれの両端が前記２つの前記端子取付け壁に接する２つの連結壁と、を有する、
ことを特徴とする請求項１〜３のいずれか一項に記載の電子装置のパッケージモジュール。
【請求項５】
各前記端子の前記装置接続端の前記複数の仕切り突起が並ぶ方向における両端部は、嵌めこみ端部として、対応する前記端子取付け凹部を画成する２つの前記仕切り突起にそれぞれ嵌め込んでいる、
ことを特徴とする請求項１〜４のいずれか一項に記載の電子装置のパッケージモジュール。
【考案の詳細な説明】
【技術分野】
【０００１】
本考案は電子装置のパッケージモジュールに関し、特に外部と接続する端子と、収容する電子装置とを線状のリードで接続する電子装置のパッケージモジュールに関する。
【背景技術】
【０００２】
外部と接続する端子と、収容する電子装置とを線状のリードで接続する従来の電子装置のパッケージモジュールとしては、例えば図１と図２に示される下記の特許文献１に記載されたものが挙げられる。図１は該従来の電子装置のパッケージモジュールが示される斜視図である。そして図２は該従来の電子装置のパッケージモジュールが示される断面図である。
【０００３】
図示のように、該従来の電子装置のパッケージモジュール１は、収容箱１１と、収容箱１１に取り付けられる複数の端子１２と、収容箱１１の内部に収容されると共に、各端子１２と電気的に接続する複数のチョークコイルや変圧器などの電子装置１３と、を備えている。
【０００４】
図１に示されるように、収容箱１１は、各電子装置１３を収容する収容空間１１０が凹設され、そして収容空間１１０の両側において、複数の端子１２を取り付けている２つの端子取付け壁１１２を有する。各端子取付け壁１１２は、収容空間１１０に臨む内壁面１１３と、内壁面１１３とは反対側の外壁面１１４と、収容空間１１０の開口側の端縁において内壁面１１３と外壁面１１４を連接するベース面１１５と、互いに離間するよう一列に並んでベース面１１５に凸設される複数の仕切り突起１１６と、隣合う２つの仕切り突起１１６によって、それらの間に画成される端子取付け凹部１１７と、を有する。
【０００５】
複数の端子１２は、各端子取付け壁１１２にそれぞれ取り付けられている。また、図２に示されるように、各端子１２は、対応する端子取付け壁１１２に差し込んだ挿入部１２１と、該挿入部１２１から該端子取付け壁１１２のベース面１１５に突起する台状の装置接続部１２３と、対応する端子取付け凹部１１７を経由するように該装置接続部１２３から該端子取付け壁１１２の外壁面１１４側に延伸してその外壁面１１４から突出する外部接続端１２２と、を有する。
【０００６】
一方、各電子装置１３は、収容空間１１０内に設置されており、そして、１つの端子１２にそれぞれ対応して先端がその装置接続部１２３に電気的に接続される複数の線状のリード１３１を有する。
【０００７】
以上の構成によって、該従来の電子装置のパッケージモジュール１は、回路基板などに実装され、そして各端子１２の外部接続端１２２が該回路基板の電気回路と接続することで、各電子装置１３による濾波や変圧などの機能を発揮できる。
【先行技術文献】
【特許文献】
【０００８】
【特許文献１】台湾実用新案登録第Ｍ４１６８９０号公報
【考案の概要】
【考案が解決しようとする課題】
【０００９】
該従来の電子装置のパッケージモジュール１を組み立てる工程においては、各電子装置１３のリード１３１の先端部を、それぞれ対応する端子１２の装置接続部１２３に配置してから半田付けでそれらの装置接続部１２３に電気的に接続する配線作業がある。この配線作業では、各リード１３１の先端部を対応する端子１２の装置接続部１２３に配置した後は、リード１３１を台状の装置接続部１２３に仮固定する手段がないので、各リード１３１の先端部が安定せず、半田付けの不確実による不良品が発生しやすい欠点がある。
【００１０】
上記問題点に鑑みて、本考案は、電子装置のリードと対応する端子との接続を確保できる電子装置のパッケージモジュールの提供を目的とする。
【課題を解決するための手段】
【００１１】
上記目的を達成すべく、本考案の電子装置のパッケージモジュールは、板状に形成されると共に一側の板面に電子装置が設置されたカバー壁と、前記カバー壁の前記板面から突起する端子取付け壁と、前記端子取付け壁に取付けられている端子と、を備えた電子パッケージモジュールである。前記端子取付け壁は、前記カバー壁の前記板面から突起した先端部分に形成されたベース面と、一列に並んで前記ベース面から更に凸設される複数の仕切り突起と、隣合う２つの前記仕切り突起によって、該隣合う２つの前記仕切り突起の間に画成される少なくとも１つの端子取付け凹部と、を有することにより、前記電子装置が設置された収容側と、外側とを仕切る。前記端子は、前記端子取付け壁の各前記端子取付け凹部にそれぞれ対応するように取付けられている上、前記ベース面から対応する前記端子取付け凹部へ突起する装置接続端と、前記装置接続端から前記端子取付け壁を経由して前記外側へ突起する外部接続端と、を有するように形成されている。前記電子装置は、１つの前記端子に対応するリードを有している。該リードは前記収容側から、対応する前記端子の前記装置接続端の前記ベース面から突起する先端を経由して、前記外側において該装置接続端に電気的に接続されている。
【考案の効果】
【００１２】
上記構成によれば、本考案の電子装置のパッケージモジュールは、端子がベース面から対応する端子取付け凹部へ突起する装置接続端を有するように形成され、そして電子装置のリードが、収容側から、対応する前記端子の前記装置接続端の前記ベース面から突起する先端を経由して、前記外側において該装置接続端において半田付けにより端子に接続されているので、該当のリードが端子の突起する先端を経由してから端子の装置接続端において接続される構成により、リードと端子との電気的接続を確保することができ、これで不良品の発生を抑えることができる。
【図面の簡単な説明】
【００１３】
【図１】従来の電子装置のパッケージモジュールが示される斜視図である。
【図２】従来の電子装置のパッケージモジュールが示される断面図である。
【図３】本考案の電子装置のパッケージモジュールが示されている斜視図である。
【図４】本考案の電子装置のパッケージモジュールにおける収容箱と各端子が示されている底面図である。
【図５】本考案の電子装置のパッケージモジュールが示されている断面図である。
【図６】本考案の電子装置のパッケージモジュールにおける収容箱と各端子が示されている側面図である。
【考案を実施するための形態】
【００１４】
以下、図３〜図６を参照しながら、本考案の電子装置のパッケージモジュールを例示する実施形態について詳しく説明する。図３は本考案の電子装置のパッケージモジュールが示されている斜視図である。図４は本考案の電子装置のパッケージモジュールにおける収容箱と各端子が示されている底面図である。図５は本考案の電子装置のパッケージモジュールが示されている断面図である。そして、図６は本考案の電子装置のパッケージモジュールにおける収容箱と各端子が示されている側面図である。
【００１５】
図３に示されるように、本考案の電子装置のパッケージモジュールは、収容箱２と、収容箱２の両側に取り付けられている複数の端子３と、収容箱２に収容されると共に、それぞれ１つの端子３に対応して電気的に接続される複数の線状のリード４１を有する複数の電子装置４と、を備えている。
【００１６】
図３と図４に示されるように、収容箱２は、長方形の板状（図４）に形成されると共に、一側（上側）の板面２２０に各電子装置４が設置されたカバー壁２２と、カバー壁２２の該板面２２０の周縁から上方へ突起すると共に、各電子装置４が収容される収容側Ｉにおいて該各電子装置４を収容する収容空間２１を囲む周壁手段２０と、を有する。
【００１７】
図４に示されたように、周壁手段２０は、カバー壁２２の板面２２０において、その長方形の２つの長辺２２１に沿って互いに平行に延伸する２つの端子取付け壁２３と、その長方形の２つの短辺２２２に沿って互いに平行に延伸してそれぞれの両端が各端子取付け壁２３に接する２つの連結壁２４と、を具えている。そして、収容箱２は、周壁手段２０の各端子取付け壁２３と各連結壁２４により収容空間２１を囲んだ収容側Ｉと、外側Ｅとを仕切っている。
【００１８】
図３に示されたように、各端子取付け壁２３はそれぞれ、複数の端子３が取り付けられている。更に、各端子取付け壁２３はそれぞれ、収容空間２１に面する内壁面２３１と、外側Ｅに面する外壁面２３２と、周壁手段２０のカバー壁２２から突起する先端にあって、且つ内壁面２３１及び外壁面２３２と接するベース面２３３と、一列に並んでベース面２３３に凸設される複数の仕切り突起２３４と、隣合う２つの仕切り突起２３４によって、該隣合う２つの仕切り突起２３４の間に画成される少なくとも１つ（本実施形態においては複数）の端子取付け凹部２３５と、各端子取付け凹部２３５の内壁面２３１側から外壁面２３２にかけて、それぞれ外側へ進むにつれて斜めに切り込まれた深さが浅くなるよう形成された斜溝部２３９と、を有する。
【００１９】
図４に示されたように、各端子３は、各端子取付け凹部２３５にそれぞれ対応するよう、各端子取付け壁２３にそれぞれ取付けられている。
【００２０】
図５に示されるように、各端子３は、それぞれが取り付けられている端子取付け壁２３のベース面２３３から対応する端子取付け凹部２３５へ突起する装置接続端３３と、装置接続端３３から端子取付け壁２３を経由して外側Ｅへ突起する外部接続端３２と、端子取付け壁２３内に延伸して装置接続端３３と外部接続端３２を繋ぐ内延伸部３１と、を有するように形成されている。
【００２１】
図３に示されたように、各端子３の装置接続端３３は、ベース面２３３からの突起量が、対応する端子取付け凹部２３５を画成した２つの仕切り突起２３４の突起量より小さいことで、該２つの仕切り突起２３４と共に対応する電子装置４のリード４１を通過させる案内溝２３６が形成される。
【００２２】
また、図５に示されたように、各端子３の装置接続端３３は、収容側Ｉにある収容空間２１に面する内側面３３１と、内側面３３１の反対側にあって外側Ｅに面する接続面３３２と、装置接続端３３がベース面２３３から突出する先端にあって、且つ内側面３３１及び接続面３３２と略直角を成すように接する先端面３３３と、を有する。また、図６に示されるように、各端子３の装置接続端３３の複数の仕切り突起２３４が並ぶ方向における両端部は、嵌めこみ端部３３４として、対応する端子取付け凹部２３５を画成する２つの仕切り突起２３４にそれぞれ嵌め込んでいる。このため、接続面３３２は、前記複数の仕切り突起２３４が並ぶ方向における幅が図４の案内溝２３６より広く、即ち、半田付けが行うことが可能な範囲は隣接する２つの仕切り突起２３４の間にある先端面３３３より広いので、リード４１を端子３に取り付ける半田付けは比較的に行い易くなっている。
【００２３】
各端子３の外部接続端３２は、対応する端子取付け壁２３の外側Ｅへ突起してから、周壁手段２０がカバー壁２２から突起する方向へ湾曲延伸し、更に該外側Ｅへ湾曲延伸するように形成されており、そして回路基板（図示せず）などに取り付けられてその電気回路と電気的に接続することができる。なお、各端子３の外部接続端３２の形状は、本実施形態に限定されず、例えば対応する端子取付け壁２３の外側Ｅへ突起してから、周壁手段２０がカバー壁２２から突起する方向に一直線に延伸し、そして回路基板を挿通してその電気回路と電気的に接続できるよう適宜変更して回路基板に取り付ければ良い。
【００２４】
図５に示されたように、各端子３の内延伸部３１は、装置接続端３３から対応する端子取付け壁２３の内部に延伸してから、外側Ｅにある外部接続端３２まで湾曲延伸するよう、略Ｌ型に形成されている。
【００２５】
本実施形態における各電子装置４としては、チョークコイルや変圧器などが使われており、そして収容側Ｉにある収容空間２１に収容されている。
【００２６】
また、各電子装置４のリード４１は、収容空間２１から、対応する端子３の装置接続端３３が取り付けている端子取付け凹部２３５内の斜溝部２３９に沿って、更に該装置接続端３３の内側面３３１側から、該装置接続端３３が端子取付け壁２３にあるベース面２３３から突起する先端にある案内溝２３６を通過するよう、その先端面３３３を経由して、外側Ｅにおいて該装置接続端３３の接続面３３２に電気的に接続されている。
【００２７】
続いて、本考案の電子装置のパッケージモジュールを組み立てる工程について説明する。本考案の電子装置のパッケージモジュールの組み立ては、例えば、まず射出成型用金具（図示せず）のキャビティ内において複数の端子３をそれぞれ所定の位置に設置してから、液体プラスチックなどの原料をその金具に充填して固化させることにより、図４と図６に示されたように、各端子３を各端子取付け凹部２３５に取り付けた収容箱２を作成する。
【００２８】
次に図５に示されたように、複数のチョークコイルまたは変圧器などの電子装置４を収容箱２の収容空間２１に設置してから、それぞれのリード４１を対応する端子３の先端にある案内溝２３６を通過するよう、該対応する端子３の装置接続端３３の先端面３３３を経由させてから、外側Ｅにおいてそれらのリード４１の先端部を対応する装置接続端３３の接続面３３２に引っ張って、それらの接続面３３２に半田付けで接続すると、図３に示されたように、本考案の電子装置のパッケージモジュールの組み立ては完成する。
【００２９】
ここでは、各電子装置４のリード４１を、対応する案内溝２３６に通過させて該案内溝２３６を形成した端子３の装置接続端３３との位置決めをしてから、そして該装置接続端３３を跨いだことで、半田付けを行う前に、揺れや振動などの原因で、リード４１が対応する端子３の装置接続端３３との相対位置からずれて離れてしまうような事態を有効に防止できる。更に、各端子３の装置接続端３３の接続面３３２は、嵌めこみ端部３３４によって幅が案内溝２３６より広いため、リード４１が案内溝２３６の幅方向における一側に偏ってしまっても許容可能なので、リード４１と端子３との接続を有効に確保することができる。
【００３０】
そして、完成された本考案の電子装置のパッケージモジュールは、回路基板などの実装し、その回路基板における電気回路と電気的に接続して濾波または変圧などの機能を発揮することができる。無論、本考案の電子装置のパッケージモジュールは、本実施形態に限定されず、電子装置４としては、チョークコイルや変圧器以外、他種の電子部品を使用して、それらの電子部品に対応する機能を発揮することも可能である。
【００３１】
上記の実施形態によれば、本考案の電子装置のパッケージモジュールは、各端子３が各端子取付け壁２３のベース面２３３から対応する端子取付け凹部２３５へそれぞれ突起する装置接続端３３を有し、更にそれらの装置接続端３３がそれぞれ対応する端子取付け凹部２３５と共に案内溝２３６を形成しており、一方、各電子装置４のリード４１が、収容側Ｉにある収容空間２１から、対応する端子３の装置接続端３３のベース面２３３から突起する先端にある案内溝２３６を通過するよう、該装置接続端３３の先端面３３３を経由してから、外側Ｅにおいて該装置接続端３３の接続面３３２に電気的に接続されている。このため、各電子装置４のリード４１は各案内溝２３６によって、対応する端子３の装置接続端３３と相対的に位置決めされるので、作業中に多少の揺れや振動などがあっても、リード４１と端子３との接続を有効に確保して接続不良を防止することができる。
【００３２】
また、本考案の電子装置のパッケージモジュールは、各端子３の装置接続端３３の複数の仕切り突起２３４が並ぶ方向における両端部は、嵌めこみ端部３３４として、対応する端子取付け凹部２３５を画成する２つの仕切り突起２３４にそれぞれ嵌め込んでいる。このため、接続面３３２は、幅が案内溝２３６より広くてリード４１を端子３に取り付ける半田付けは比較的行い易く、そして各リード４１が端子３の突起する先端面３３３を経由してから端子３の接続面３３２において接続される構成により、リードと端子との電気的接続を確保することができる。
【００３３】
以上、本考案の好ましい実施形態を説明したが、本考案はこれに限定されるものではなく、その要旨を逸脱しない範囲で種々変更可能である。
【産業上の利用可能性】
【００３４】
上記構成によれば、本考案の電子装置のパッケージモジュールは、リード４１と端子３との接続を有効に確保して接続不良を防止できるため、したがって電子装置のパッケージモジュール全体の品質の確保に繋がることができる。
【符号の説明】
【００３５】
２  収容箱
２０  周壁手段
２１  収容空間
２２  カバー壁
２２０  板面
２２１  長辺
２２２  短辺
２３  端子取付け壁
２３１  内壁面
２３２  外壁面
２３３  ベース面
２３４  仕切り突起
２３５  端子取付け凹部
２３６  案内溝
２３９  斜溝部
２４  連結壁
３  端子
３１  内延伸部
３２  外部接続端
３３  装置接続端
３３１  内側面
３３２  接続面
３３３  先端面
３３４  嵌めこみ端部
４  電子装置
４１  リード
Ｅ  外側
Ｉ  収容側
【図１】
0003214104.tif 000003
【図２】
0003214104.tif 000004
【図３】
0003214104.tif 000005
【図４】
0003214104.tif 000006
【図５】
0003214104.tif 000007
【図６】
0003214104.tif 000008